(57)【要約】【課題】従来方式に比べて容易にジャンパ線と鉄塔その他の取付金具との絶縁距離を確保できるようにする。【解決手段】支持がいしを電線支持物に支持する支持がいし取付機構において、支持がいしの一端に設けられるがいし取付プレート１と、電線支持物の所定の位置に設けられる鉄塔取付プレート２と、がいし取付プレート１と鉄塔取付プレート２とを連結する長さ調節自在な連結具＃１１〜＃１４（＃１３及び＃１４は不図示）とを備えるものである。この構成によって、従来方式に比べて容易にジャンパ線と鉄塔その他の取付金具との絶縁距離を調整できるようになる。【選択図】        図１
2009026657.tif 000002
【特許請求の範囲】
【請求項１】
支持がいしを電線支持物に支持する支持がいし取付機構において、
前記支持がいしの一端に設けられる第１の取付部材と、
前記電線支持物の所定の位置に設けられる第２の取付部材と、
前記第１の取付部材と前記第２の取付部材とを連結する長さ調節自在な連結部材とを備えることを特徴とする支持がいし取付機構。
【請求項２】
前記第１及び第２の取付部材には、
互いに対向する位置に連結用の孔部が開口され、
前記連結部材は、
前記第１及び第２の取付部材の孔部を貫通するように挿入されるボルトと、
前記ボルトの前記第１及び第２の取付部材の間に位置する部位に係合され、前記第１及び第２の取付部材の互いに対向する面を離す方向に付勢力を加える弾性部材と、
前記第１及び第２の取付部材を貫通した前記ボルトの端部から係合され、前記ボルトの前記第１及び第２の取付部材を連結する長さを調節するナットとからなることを特徴とする請求項１記載の支持がいし取付機構。
【請求項３】
前記ボルトは、
前記第１又は第２の取付部材に固定されることを特徴とする請求項２記載の支持がいし取付機構。
【請求項４】
前記ボルトは、頭部、端部及び軸部を有し、
頭部又は端部から軸部に沿って長さを示す目盛りが記されることを特徴とする請求項２記載の支持がいし取付機構。
【請求項５】
前記ボルトの前記第１及び第２の取付部材の間に位置する部位には、
前記弾性部材と直列に長さ補完部材が係合され、前記弾性部材の長さを補完することを特徴とする請求項２記載の支持がいし取付機構。
【請求項６】
支持がいしの一端に設けられる第１の取付部材に開口された孔部にボルトを貫通するように挿入する工程と、
前記ボルトに弾性部材を係合する工程と、
前記ボルトを、電線支持物の所定の位置に設けられる第２の取付部材に開口された孔部に貫通するように挿入する工程と、
前記ボルトの端部からナットを係合する工程と、
前記第１及び第２の取付部材を連結する、前記ボルト及びナットによる連結長さを調節する工程とを有することを特徴とする支持がいし取付機構の取扱方法。
【発明の詳細な説明】
【技術分野】
【０００１】
この発明は、電線支持物に電線を支持する支持がいし取付架台に適用可能な支持がいし取付機構及びその取扱方法に関する。詳しくは、支持がいしの一端に設けられる第１の取付部材と、電線支持物の所定の位置に設けられる第２の取付部材とを連結する長さ調節自在な連結部材を備え、支持がいしを用いて電線支持物、例えば鉄塔に電線を支持するとき、従来方式に比べて容易にジャンパ線と鉄塔との距離を調節できるようにして、送電線取付／取替工事の為の高所における電線支持作業の効率を向上できるようにしたものである。
【背景技術】
【０００２】
従来、鉄塔に電線を支持する際には、支持がいしを用いてジャンパ線と鉄塔及びその他の取付金具との絶縁距離を確保するようにしている。しかし、ジャンパ線の取付環境や長さによっては、支持がいしだけでは絶縁距離が充分に取れない場合がある。その際には、支持がいし取付架台を用いて、支持がいしの長さを補充するようにしている。
【０００３】
またこれに関連して、特許文献１に示すような長幹支持がいしの固定構造が開示されている。この長幹支持がいしの固定構造は、送電鉄塔の取付プレートのボルト孔及びがいしの取付プレートのボルト孔に、地震などによる応力を吸収する弾性部材を介在したボルトを貫通させて、ナットにより固定することを特徴とするものである。この長幹支持がいしの固定構造によれば、大きな振動に対しても長幹支持がいしが破損することなく、従って大きな振動が発生した後でもその機能を維持することができるようになる。
【０００４】
【特許文献１】特開2005−295785公報（第４頁、第１７頁  図２）
【発明の開示】
【発明が解決しようとする課題】
【０００５】
しかし従来例に係る支持がいし取付構造によれば、その長さ調整用に用いられる取付架台の厚みが固定されている。その為、ジャンパ線の取付環境や長さによっては、それだけでジャンパ線と鉄塔その他の取付金具との絶縁距離を充分に確保することができない場合がある。そのときは、ジャンパ線に不足分を付け足す割線作業を行って絶縁距離を調整するようにする。
【０００６】
また、特許文献１に係る長幹支持がいしの固定構造によれば、地震などによる応力を吸収する弾性部材を、主に送電鉄塔の取付プレートの上部に介在させる構造なので、送電鉄塔の取付プレートとがいしの取付プレートとの距離を調整する要求があったとき、各部の構成部品の煩雑な調整が必要となる。
【０００７】
そこで、本発明は上述の問題に鑑み創作されたものであり、従来方式に比べて容易にジャンパ線と鉄塔その他の取付金具との絶縁距離を確保することができるようにした支持がいし取付機構及びその取扱方法を提供するものである。
【課題を解決するための手段】
【０００８】
この発明に係る支持がいし取付機構は、支持がいしの一端に設けられる第１の取付部材と、電線支持物の所定の位置に設けられる第２の取付部材と、第１の取付部材と第２の取付部材とを連結する長さ調節自在な連結部材とを備えることを特徴とするものである。この発明に係る支持がいし取付機構によれば、支持がいしを用いて鉄塔に電線を支持するとき、支持がいしの取付部材と鉄塔の取付部材の、互いに対向する位置に開口された孔部を、圧縮状態の弾性部材を介したボルトとナットで連結し、長さ調節自在にするようになされる。これにより、従来方式に比べて容易にジャンパ線と鉄塔及びその他の取付金具との距離を調節することができるようになるとともに、電線の不足分挿入の手間を最小限に抑えることができるようになる。従って、送電線取付／取替工事の為の高所における電線支持作業の効率が向上する。
【０００９】
この発明に係る支持がいし取付機構の取扱方法は、支持がいしの一端に設けられる第１の取付部材に開口された孔部にボルトを貫通するように挿入する工程と、ボルトに弾性部材を係合させる工程と、ボルトを電線支持物の所定の位置に設けられる第２の取付部材に開口された孔部に貫通するように挿入する工程と、ボルトの端部からナットを係合する工程と、第１及び第２の取付部材を連結するボルト及びナットによる連結長さを調節する工程とを有することを特徴とするものである。この発明に係る支持がいし取付機構の取扱方法によれば、従来方式に比べて容易にジャンパ線と鉄塔及びその他の取付金具との距離を調節することができるようになる。
【発明の効果】
【００１０】
この発明に係る支持がいし取付機構によれば、支持がいしの一端に設けられる第１の取付部材と、電線支持物の所定の位置に設けられる第２の取付部材とを連結する長さ調節自在な連結部材を備えるようになされる。この構成によって、支持がいしと鉄塔との距離を調節することができるので、支持がいしを用いて鉄塔に電線を支持するとき、従来方式に比べて容易にジャンパ線と鉄塔その他の取付金具との絶縁距離を調整できるようになる。
【００１１】
また、この発明に係る支持がいし取付機構の取扱方法によれば、第１及び第２の取付部材を連結するボルト及びナットによる連結長さを調節することができる。この構成によって、支持がいしと鉄塔との距離を調節することができるので、支持がいしを用いて鉄塔に電線を支持するとき、従来方式に比べて容易にジャンパ線と鉄塔その他の取付金具との絶縁距離を確保することができる。
【発明を実施するための最良の形態】
【００１２】
続いて、この発明に係る支持がいし取付機構及びその取扱方法について、図面を参照しながら説明をする。
【実施例１】
【００１３】
図１は本発明に係る第１の実施例としての支持がいし取付機構１００の構成例を示す正面図である。図１に示す支持がいし取付機構１００は支持がいし取付機構の一例を構成し、支持がいしを電線支持物、例えば鉄塔に支持するようになされる。この支持がいし取付機構１００は、がいし取付プレート１、鉄塔取付プレート２及び４組の連結具＃１１〜＃１４（＃１３及び＃１４は不図示）を備えて構成され、連結具＃１１は、ボルト４、ばね５、ナット６Ａ及び６Ｂ、ワッシャー７Ａ〜７Ｄを備えて構成される。
【００１４】
がいし取付プレート１は第１の取付部材の一例を構成し、長幹支持がいし３の一端に設けられるようになされる。がいし取付プレート１は充分丈夫な素材、例えば鉄で構成され、長幹支持がいし３を鉄塔に支持する際に取付機構を連結する部位として用いられる。がいし取付プレート１には、連結用のボルト孔１ａ１〜１ａ４（１ａ３及び１ａ４は不図示）がこの例では４個開口される。
【００１５】
鉄塔取付プレート２は第２の取付部材の一例を構成し、鉄塔の所定の位置に設けられるようになされる。鉄塔取付プレート２は充分丈夫な素材、例えば鉄で構成され、長幹支持がいし３を鉄塔に支持する際に取付機構を連結する部位として用いられる。鉄塔取付プレート２には、がいし取付プレート１に対向する位置に連結用のボルト孔２ａ１〜２ａ４（２ａ３及び２ａ４は不図示）が例えば４個開口される。
【００１６】
がいし取付プレート１及び鉄塔取付プレート２のボルト孔１ａ１及び２ａ１には、連結部材の一例を構成する連結具＃１１の部材であるボルト４が貫通するようになされる。ボルト４は鋼や鉄等充分丈夫な素材で構成され、がいし取付プレート１及び鉄塔取付プレート２を連結する。ボルト４は、頭部４ａ、端部４ｃ及び軸部４ｂからなり、軸部４ｂは強度を確保する為、半ねじ形状を有する。
【００１７】
ボルト４のがいし取付プレート１及び鉄塔取付プレート２の間に位置する部位には、弾性部材の一例を構成するばね５が係合され、がいし取付プレート１及び鉄塔取付プレート２の互いに対向する面を離す方向に付勢力を加えるようになされる。ばね５は鋼や鉄等充分丈夫な素材で構成され、圧縮状態で係合されることで、がいし取付プレート１及び鉄塔取付プレート２に内側から付勢力を加える。ばね５は、ボルト４の軸部４ｂに係合しやすいように、らせん状に巻かれた形状を有する。
【００１８】
ボルト４のがいし取付プレート１及び鉄塔取付プレート２を貫通した端部４ｃからは、連結部材の一例を構成するナット６Ａが係合され、ボルト４ががいし取付プレート１及び鉄塔取付プレート２を連結する長さを調節するようになされる。ナット６Ａは鋼や鉄等で構成され、ボルト４の端部４ｃから軸部４ｂに係合されることで、ボルト４がボルト孔２ａ１から抜けないようにする。また、その係合される位置によって、ボルト４ががいし取付プレート１及び鉄塔取付プレート２を連結する長さを調節する。
【００１９】
また、ボルト４、ばね５及びナット６Ａが、がいし取付プレート１及び鉄塔取付プレート２に係合される際には、ワッシャー７Ａ〜７Ｄを介して係合され、圧力を分散させるようになされる。ワッシャー７Ａ〜７Ｄは鋼や鉄等充分丈夫な素材で構成され、ボルト４、ばね５及びナット６Ａが、がいし取付プレート１及び鉄塔取付プレート２にめり込むのを防ぐ。このようにして連結具＃１１が構成される。残るボルト孔１ａ２〜１ａ４及び２ａ２〜２ａ４についても同様にして連結具＃１２〜＃１４が構成される。これらにより、支持がいし取付機構１００が構成される。以下で支持がいし取付機構１００の組立例について説明する。
【００２０】
図２は、第１の実施例としての支持がいし取付機構１００の部材例及び組立例を示す斜視図である。この実施例では図１の支持がいし取付機構１００を組み立てて、長幹支持がいし３を鉄塔の腕金に支持する場合について説明を行う。
【００２１】
まず、がいし取付プレート１のボルト孔１ａ１に、ワッシャー７Ａを介してボルト４の軸部４ｂを下側から貫通するように挿入する。ここで、がいし取付プレート１は、長幹支持がいし３を鉄塔に充分支持できる大きさと厚さを備え、長幹支持がいし３に強固に固定されている。ワッシャー７Ａには、がいし取付プレート１のボルト孔１ａ１から抜けない大きさの外径を有し、ボルト４の軸部４ｂが貫通できる大きさの孔径を有するものが使用される。ボルト４には、ワッシャー７Ａの孔部から抜けない大さの頭部４ａを有し、ボルト孔１ａ１を貫通できる軸部４ｂを有するものが使用される。また組立後に、がいし取付プレート１及び鉄塔取付プレート２の距離を長くする方向に調節できるように、軸部４ｂが充分長いボルトを使用する。
【００２２】
次にワッシャー７Ｂを介してばね５を、軸部４ｂが貫通するように係合する。ここで、ばね５には、復元力が大きい圧縮コイルばねで、軸部４ｂが貫通できる巻内径を有したものが使用される。
【００２３】
次にばね５を係合させた軸部４ｂを、ワッシャー７Ｃを介して鉄塔取付プレート２のボルト孔２ａ１に、下側から貫通するように挿入する。ここで鉄塔取付プレート２は、長幹支持がいし３を鉄塔に充分支持できる大きさと厚さを備え、図示しない鉄塔の端部に強固に固定されている。
【００２４】
次に鉄塔取付プレート２を貫通したボルト４の端部４ｃから、ワッシャー７Ｄを介してナット６Ａを係合する。ここでナット６Ａには、ワッシャー７Ｄの孔部から抜けない大きさの外径を有するとともに、軸部４ｂに係合できる形状の孔部を有するものが使用される。
【００２５】
最後に、ばね５が最も縮んだ状態になるようにボルト４に係合されたナット６Ａの位置を調節する。またこの実施例では、設置後にナット６Ａが弛まないように、ボルト４の端部４ｃから更にナット６Ｂを係合させる。このようにして、連結具＃１１を組み立てることができる。ボルト孔１ａ２〜１ａ４及び２ａ２〜２ａ４についての連結具＃１２〜＃１４（不図示）も上述ように組み立てる。これにより、図１に示すような支持がいし取付機構１００が組み上がる。
【００２６】
なお、この第１の実施例では、各連結具＃１１〜＃１４のボルトを、がいし取付プレート１側から挿入するようにしたが、鉄塔取付プレート２側から挿入するようにしてもよい。  
以下で、支持がいし取付機構が適用される、鉄塔の端部への電線の取付例について説明をする。図３Ａ、ＢおよびＣは、長幹支持がいし３を用いた鉄塔１０への電線１４及び１５の取付例をしめす概略図である。
【００２７】
図３Ａに示す鉄塔１０に電線１４及び１５を支持する場合、例えば高圧耐張がいし１３を用いてそれぞれを鉄塔１０の腕金に引き留める。その際、電線１４及び１５、鉄塔１０は互いに電気的に絶縁されている。電線１４及び１５を互いに導通させる為には、通常ジャンパ線１１による連結がなされる。連結に用いるジャンパ線１１は、鉄塔１０その他の取付金具から所定の絶縁距離を保つように連結される。通常は、図３Ａに示すように、長幹支持がいし３を連結させて絶縁距離Ｓ１を確保するようにする。
【００２８】
しかし図３Ｂのように、電線１４及び１５の鉄塔に対する角度θが小さい場合、長幹支持がいし３だけでは、ジャンパ線１１と鉄塔１０その他の取付金具との距離Ｓ２が小さく、所定の絶縁距離が確保できなくなる。そのような場合に、本発明に係る支持がいし取付機構１００が有用である。  
図３Ｃは支持がいし取付機構１００を用いて絶縁距離Ｓ３を適正にした例である。このようにがいし取付機構１００を調節して、ジャンパ線１１の絶縁距離を調整する。
【００２９】
以下、図面を参照しながら支持がいし取付機構１００の取扱方法について説明をする。図４ＡおよびＢは、支持がいし取付機構１００の取扱例を示した正面図である。この第１の実施例では、上述の組立方法に沿って組み立てられた図４Ａの支持がいし取付機構１００において、がいし取付プレート１と鉄塔取付プレート２の連結具＃１１〜＃１４（＃１３及び＃１４は不図示）による連結長さを調節して、長幹支持がいし３の図示しない他端に連結されたジャンパ線１１の絶縁距離を確保する方法について説明する。
【００３０】
図４Ａで連結具＃１１は、ばね５が最も縮んだ状態になるように、がいし取付プレート１及び鉄塔取付プレート２を連結している。連結具＃１１による連結長さを調節するには、図４Ｂに示すようにボルト４の軸部４ｂに係合されるナット６Ａの位置をがいし取付プレート１及び鉄塔取付プレート２を離す方向に調節する。このとき、ボルト４の頭部４ａを例えばレンチで回らないように固定しながら行う。またこのとき、ナット６Ｂは緩めておくか外しておく。この例のように、がいし取付プレート１及び鉄塔取付プレート２を離す方向に調節すると、ばね５の復元力が作用して効率よく調節することができる。他の連結具＃１２〜＃１４についても同様に作業を行い、４つの連結具＃１１〜＃１４の連結長さが等しくなるようにする。
【００３１】
長幹支持がいし３の図示しない他端に連結されたジャンパ線１１の絶縁距離を確保できる連結長さになったら、連結具＃１１ではナット６Ｂを締めて又は係合してナット６Ａが弛まないように固定する。他の３つの連結具＃１２〜＃１４についても同様に固定する。これにより、支持がいし取付機構１００を用いた長幹支持がいし３の取付作業が終了する。
【００３２】
このように本発明に係る第１の実施例としての支持がいし取付機構１００及びその取扱方法によれば、長幹支持がいし３を用いて鉄塔１０にジャンパ線１１を支持するとき、連結具＃１１に関してはボルト４及びナット６Ａを調節して、連結具＃１２〜＃１４に関してもそれに相当する部材を調節して、がいし取付プレート１及び鉄塔取付プレート２の連結長さを調節することができるので、従来方式に比べて容易にジャンパ線１１と鉄塔１０その他の取付金具との絶縁距離を調整することができる。従って、送電線取付／取替工事の為の高所における電線支持作業の効率が向上する。
【００３３】
また、上述のように調節した結果、がいし取付プレート１及び鉄塔取付プレート２の距離が長くなっても、弾性部材、例えばばね５によりがいし取付プレート１及び鉄塔取付プレート２の互いに対向する面に付勢力が加わるので、がいし取付プレート１及び鉄塔取付プレート２の間に位置するボルトの軸部にナットなどを係合しなくても、安定した状態が保たれる。
【実施例２】
【００３４】
図５は、本発明に係る第２の実施例としての支持がいし取付機構１０１の構成例を示す正面図である。図５に示す支持がいし取付機構１０１は、がいし取付プレート２０、鉄塔取付プレート２及び４組の連結具＃２１〜＃２４（＃２３及び＃２４は不図示）を備えて構成され、連結具＃２１は、ボルト２１、ばね５、スペーサ２２、ナット６Ａ及び６Ｂ、ワッシャー７Ｂ〜７Ｄを備えて構成される。
【００３５】
がいし取付プレート２０は、第１の取付部材の一例を構成し、長幹支持がいし３の一端に設けられるようになされる。がいし取付プレート２０には連結用の４つのボルト孔２０ａ１〜２０ａ４（２０ａ３及び２０ａ４は不図示）が開口される。また、がいし取付プレート２０は、ボルト孔２０ａ１に係合されるボルト２１を固定できる機構、例えば、六角形の底形状の凹部２０ｂ１を有するようになされる。
【００３６】
凹部２０ｂ１は、がいし取付プレート２０に開口されたボルト孔２０ａ１の挿入口に設けられる。この凹部２０ｂ１にボルト２１の頭部２１ａを係合することでボルト２１を固定することができる。なお、がいし取付プレート２０には固定できる機構を設けずに、例えば、がいし取付プレート２０のボルト孔２０ａ１にボルト２１を係合させてから溶接して固定するようにしてもよい。また、鉄塔取付プレート２は、上述の第１の実施例と同様に構成される為詳細については割愛する。
【００３７】
がいし取付プレート２０のボルト孔２０ａ１及び鉄塔取付プレート２のボルト孔２ａ１には、連結具＃２１の部材であるボルト２１が貫通するようになされる。図６Ａは、取付機構１０１に使用されるボルト２１の斜視図である。図６Ｂは仮想Ｘ−Ｙ平面で切断した拡大断面図である。図６Ａ及びＢに示すボルト２１は、頭部２１ａ、端部２１ｃ及び軸部２１ｂを有した六角中ボルト形状を有するようになされる。ボルト２１には、軸部２１ｂに沿って溝部２１ｄが設けられ、その溝部２１ｄに、頭部２１ａ又は端部２１ｃからの長さを示す目盛りが記される。この目盛りは、例えば区別が容易になされるような色で記される。
【００３８】
ボルト２１のがいし取付プレート２０及び鉄塔取付プレート２の間に位置する部位には第１の実施例と同様に構成されたばね５が係合される。更にこの例では、長さ補完部材の一例を構成するスペーサ２２がばね５に直列に係合され、ばね５の長さを補完するようになされる。スペーサ２２は、鋼や鉄等充分丈夫な素材で構成され、例えば、コイル形状のばね５に合う外径と内径の円柱形状を有するようになされる。スペーサ２２を係合させることにより、がいし取付プレート２０と鉄塔取付プレート２との距離が所定距離以上に調節され、ばね５が伸びきって内側からの付勢力を加えられなくなったとき、ばね５の長さを補完することができるようになる。このように、連結具＃２１が構成される。残るボルト孔２０ａ２〜２０ａ４及び２ａ２〜２ａ４についても同様にして連結具＃２２〜＃２４が構成され、これらにより支持がいし取付機構１０１が構成される。以下で支持がいし取付機構１０１の組立例について説明する。
【００３９】
支持がいし取付機構１０１のを組み立てる場合、ボルト２１をがいし取付プレート２０のボルト孔２０ａ１に貫通させるように挿入する。その際に、取付プレート２０のボルト孔に備えられた凹部２０ｂ１に頭部２１ａを係合させて固定する。  
次にワッシャー７Ｂを介してスペーサ２２とばね５を直列に、ボルト２１の軸部２１ｂに貫通するように係合する。  
次にスペーサ２２とばね５とを係合させたボルト２１の軸部２１ｂを、ワッシャー７Ｃを介して鉄塔取付プレート２のボルト孔２ａ１に、下側から貫通するように挿入する。  
次に鉄塔取付プレート２を貫通したボルト２１の端部２１ｃから、ボルト孔２ａ１から抜けないように、ワッシャー７Ｄを介してナット６Ａを係合する。
【００４０】
最後に、ばね５が最も縮んだ状態になるようにボルト２１の軸部２１ｂに係合されるナット６Ａの位置を調節する。またこの実施例では、設置後にナット６Ａが弛まないように、ボルト４の端部からさらにナット６Ｂを係合させる。このようにして連結具＃２１を組み立てることができる。ボルト孔２０ａ２〜２０ａ４及び２ａ２〜２ａ４についての連結具＃２２〜＃２４（＃２３及び＃２４は不図示）も上述のように組み立てる。以上のようにして、支持がいし取付機構１０１を組み立てることができる。
【００４１】
なお、この第２の実施例では、連結具＃２１のボルト２１を、がいし取付プレート２０側から挿入するようにしたが、鉄塔取付プレート２側から挿入するようにしてもよい。その際は、ボルト２１を鉄塔取付プレート２に固定できるようにするとよい。
【００４２】
以下で、支持がいし取付機構１０１の取扱方法について説明する。図７は、支持がいし取付機構１０１の取扱例を示した正面図である。第２の実施例では、上述の組立方法に沿って組み立てられた支持がいし取付機構１０１において、がいし取付プレート２０と鉄塔取付プレート２の連結具＃２１〜＃２４（＃２３及び＃２４は不図示）による連結長さを調節して、長幹支持がいし３の図示しない他端に連結されたジャンパ線１１の絶縁距離を確保する方法について説明する。
【００４３】
支持がいし取付機構１０１による連結長さを調節するには、図７に示す連結具＃２１のナット６Ｂを緩めた又は外した状態で、ナット６Ａのボルト２１に係合される位置を調節して、がいし取付プレート２０と鉄塔取付プレート２との距離を調節する。その際に、ボルト２１の頭部２１ａは、既にがいし取付プレート２０の凹部２０ｂ１に固定されているので、ナット６Ａのみを工具例えばレンチを用いて調節すればよい。またこのとき、がいし取付プレート２０及び鉄塔取付プレート２を離す方向に調節するようにすると、効率よく調節を行うことができる。他の３つの連結具、＃２２〜＃２４についても同様に作業を行い、４つの連結具＃２１〜＃２４の連結長さが等しくなるようにする。その際に、ボルト２１の溝部２１ｄに記された目盛りを利用するようにするとよい。
【００４４】
長幹支持がいし３の図示しない他端に連結されたジャンパ線１１の絶縁距離を確保できる連結長さになったら、連結具＃２１ではナット６Ｂを係合してナット６Ａが弛まないように固定する。結具＃２２〜＃２４に関しても同様に固定する。これにより、支持がいし取付機構１０１による長幹支持がいし３の取付作業が終了する。
【００４５】
このように本発明に係る第２の実施例としての支持がいし取付機構１０１及びその取扱方法によれば、連結具＃２１に用いるボルト２１の溝部２１ｄに設けられた目盛りと、連結具＃２２〜＃２４に用いるボルトの溝部に同様に設けられた目盛りとを参考にして、ナットの係合位置を調節できるようになる。従って、従来方式に比べて容易に連結具＃２１〜＃２４の連結長さを合わせることができる。
【００４６】
また、弾性部材、例えばばね５に直列にスペーサ２２を介するようになされるので、がいし取付プレート２０と鉄塔取付プレート２との距離が、ばね５が伸びきった状態になるまで離れても、がいし取付プレート２０及び鉄塔取付プレート２の互いに対向する面に付勢力を加えられるようになり、安定した状態が保たれる。
【産業上の利用可能性】
【００４７】
本発明は、電線支持物に電線を支持する支持がいし取付架台に適用して極めて好適である。
【図面の簡単な説明】
【００４８】
【図１】第１の実施例に係る支持がいし取付機構１００の構成例を示す正面図である。
【図２】支持がいし取付機構１００の部材例及び組立例を示す斜視図である。
【図３】長幹支持がいし３を用いた鉄塔１０への電線１４及び１５の取付例を示す概略図である。
【図４】支持がいし取付機構１００の取扱例を示す正面図である。
【図５】第２の実施例に係る支持がいし取付機構１０１の構成例を示す正面図である。
【図６】（Ａ）及び（Ｂ）は、ボルト２１の斜視図及び断面図である。
【図７】支持がいし取付機構１０１の取扱例を示す正面図である。
【符号の説明】
【００４９】
１、２０・・・がいし取付プレート、２・・・鉄塔取付プレート、３・・・長幹支持がいし、４、２１・・・ボルト、５・・・ばね、６Ａ、６Ｂ・・・ナット、７Ａ〜７Ｄ・・・ワッシャー、１０・・・鉄塔、１１・・・ジャンパ線、１３・・・高圧耐張がいし、１４、１５・・・電線、２２・・・スペーサ、＃１１〜＃１４、＃２１〜２４・・・連結具、１ａ１〜１ａ４、２ａ１〜２ａ４、２０ａ１〜２０ａ４・・・ボルト孔、２０ｂ１〜２０ｂ４・・・凹部、４ａ、２１ａ・・・頭部、４ｂ、２１ｂ・・・軸部、４ｃ、２１ｃ・・・端部、２１ｄ・・・溝部、１００、１０１・・・支持がいし取付機構
【図１】
2009026657.tif 000003
【図２】
2009026657.tif 000004
【図３】
2009026657.tif 000005
【図４】
2009026657.tif 000006
【図５】
2009026657.tif 000007
【図６】
2009026657.tif 000008
【図７】
2009026657.tif 000009